(57)【要約】【課題】  段鼻部に段鼻装飾材を被着させた従来のリフォーム階段より耐久性、および施工方法に優れたリフォーム階段を提供する。【解決手段】  突出段鼻部１ａを有する踏み板１と、蹴込み板２とから構成される既存の階段に、新規の階段部材が取付けられたリフォーム階段構造であって、新規の階段部材は、化粧踏み板３と、化粧蹴込み板４と、段鼻装飾材５とから構成されており、化粧踏み板３が前記踏み板１上に取り付けられ、突出段鼻部１ａに、上端部に凹部が形成された前記化粧蹴込み板４が取付けられ、凸部を有する段鼻装飾材５の凸部５ｅが化粧蹴込み板４の凹部４ｃと嵌め合わされて、化粧蹴込み板４に段鼻装飾材５が取付けられていることを特徴とするリフォーム階段。【選択図】  図１（ｄ）
2005097947.tif 000002
【特許請求の範囲】
【請求項１】
突出段鼻部を有する踏み板と、蹴込み板とから構成される既存の階段に、
新規の階段部材が取付けられたリフォーム階段構造であって、
新規の階段部材は、化粧踏み板と、化粧蹴込み板と、段鼻装飾材とから構成されており、
前記化粧踏み板が前記踏み板上に取り付けられ、
前記突出段鼻部に、上端部に凹部が形成された前記化粧蹴込み板が取付けられ、
凸部を有する前記段鼻装飾材の凸部が前記化粧蹴込み板の凹部と嵌め合わされて、
前記化粧蹴込み板に前記段鼻装飾材が取付けられていることを特徴とするリフォーム階段。
【請求項２】
前記突出段鼻部が前記蹴込み板から突出している突出長さと同一、又は略同一の厚さを有するスペーサー材を介して、前記化粧蹴込み板が前記蹴込み板および前記突出段鼻部に取付けられていることを特徴とする請求項１記載のリフォーム階段。
【請求項３】
前記段鼻装飾材が、化粧踏み板の踏み面と略面一となる奥端から先端方向へ上り傾斜する傾斜部および先端の曲面落し部を備えていることを特徴とする請求項１又は２記載のリフォーム階段。
【請求項４】
前記段鼻装飾材の上面略中央にすべり止め部を設けてなることを特徴とする請求項１、２又は３記載のリフォーム階段。
【請求項５】
前記段鼻装飾材上方に開口した取付け具取付け凹部が設けられていて、
前記取付け具取付け凹部に取付けられた取付け具によって、前記段鼻装飾材と前記化粧蹴込み板とが接合されており、
前記取付け具が前記取付け具取付け凹部を塞ぐカバー材で覆われていることを特徴とする請求項１、２、３又は４記載のリフォーム階段。
【請求項６】
前記化粧蹴込み板の後面下端部と、１つ下段の化粧踏み板前面との隙間に化粧踏み板納め部材を挿入したことを特徴とする請求項１〜５のいずれか１項に記載のリフォーム階段。
【請求項７】
前記化粧蹴込み板が基板材と化粧板との２層で構成されていることを特徴とする請求項１〜６のいずれか１項に記載のリフォーム階段。
【発明の詳細な説明】
【技術分野】
【０００１】
本発明はリフォーム階段に関するものである。
【背景技術】
【０００２】
従来、リフォームした階段の構造としては、化粧踏み板を既存の踏み板に被着し、化粧蹴込み板をスペーサー材等を介して、蹴込み板に貼り付け、既存の蹴込み板を覆い隠し、既存の突出段鼻部は化粧踏み板の一部、又は段鼻装飾材で覆い被せるといった手法が知られている。（例えば、特許文献１、２参照。）
【特許文献１】特開２００１−１５９２１９号公報
【特許文献２】特開２００３−４１７３１号公報
【発明の開示】
【発明が解決しようとする課題】
【０００３】
既存の突出段鼻部の上面先端部をリフォームするのは、これまで段鼻装飾材又は化粧踏み板によって覆い隠すという手法を取ってきた。そのため以下のような問題点があった。
【０００４】
１つに階段構造において段鼻部は人間が昇降する際に、足の裏の摩擦が最も大きい場所であり、段鼻部が擦り減ってしまうということである。リフォーム階段において、リフォームした段鼻部が擦り減って既存の段鼻部が露出してしまうのは見た目に悪い。そのため、段鼻装飾材が擦り減っても既存の段鼻部が露出しないようにするためには、踏み板上面を覆っている段鼻装飾材の厚さを厚くするか、化粧踏み板の厚さを厚くするかのどちらかを取らなくてはならないが、段鼻装飾材と化粧踏み板は互いに接合されているため、接合部分の厚さを同じにしないと段差が出来てしまい、外観が悪く、人間の昇降時にも、足の裏をけがする可能性がある。また、化粧踏み板の厚さは厚くなればなる程、コストがかかり、現場での施工も大変になる。そのため、従来のリフォームの施工ではコストを抑え、施工を容易にするため、化粧踏み板はなるべく薄くする方法が取られている。しかし、この方法では踏み板上面を覆っている段鼻装飾材の厚さも薄くせざるを得ないため、リフォームした突出段鼻部の上面先端部が人間が昇降する際の足の裏の摩擦により擦り減って、既存の段鼻部が露出し易くなる。
【０００５】
また、階段の段鼻部は人間が階段を昇降する際に、荷重が掛り易いため堅固な作りである必要がある。従来のリフォーム階段では、前述のように段鼻部のリフォームは、段鼻装飾材又は化粧踏み板によって覆い隠すという手法を取っており、その取付けにはネジと接着剤のみでの被着のため、耐久性が危ぶまれる。
【０００６】
さらに既存の蹴込み板に化粧蹴込み板を取り付ける場合、従来の化粧蹴込み板の厚さは２ｍｍ前後と薄いため、人間の昇降時の衝撃により、簡単に破損することが考えられる。
【０００７】
リフォームの施工工程においては、いかに施工の手間を省けるかが重要になってくる。階段は様々な規格で作られているため、階段のリフォームを行う場合、通常は現場での各部材の形状合わせで施工を行う。そのため、従来の化粧蹴込み板、段鼻装飾材、化粧踏み板等の各部材は既存の階段に別々に直接取付ける作業を行わなければならず、現場での部材の形状合わせに手間がかかる。
【０００８】
本発明は上記事由に鑑みてなしたもので、その目的とするところは、リフォームした段鼻部の耐久性を向上させると同時に、化粧蹴込み板の耐久性も向上させ、事前に各部材の形状合わせを行うことができ、現場での施工を容易にするリフォーム階段を提供することにある。
【課題を解決するための手段】
【０００９】
請求項１に係る発明のリフォーム階段は、突出段鼻部を有する踏み板と、蹴込み板とから構成される既存の階段に、化粧踏み板、化粧蹴込み板、段鼻装飾材から構成される新規の階段部材を取付けるにあたり、化粧踏み板が踏み板に取付けられ、上端部に凹部を形成した化粧蹴込み板が突出段鼻部に取付けられ、この凹部にて段鼻装飾材に設けられた凸部とが嵌め合わされて、化粧蹴込み板に段鼻装飾材が取付けられたことを特徴とする。
【００１０】
請求項２に係る発明のリフォーム階段は、突出段鼻部が蹴込み板から突出している突出長さと同一、又は略同一の厚さを有するスペーサー材を介して、前記化粧蹴込み板が前記蹴込み板および前記突出段鼻部に取付けられていることを特徴とする。
【００１１】
請求項３に係る発明のリフォーム階段は、前記段鼻装飾材が、化粧踏み板の踏み面と略面一となる奥端から先端方向へ上り傾斜する傾斜部および先端の曲面落し部を備えている。
【００１２】
請求項４に係る発明のリフォーム階段は、前記段鼻装飾材の上面略中央にすべり止め部が設けられている。
【００１３】
請求項５に係る発明のリフォーム階段は、前記段鼻装飾材上方に開口した取付け具取付け凹部が設けられていて、前記取り付け具取付け凹部に取り付けられた取付け具によって、前記段鼻装飾材と前記化粧蹴込み板とが接合されており、前記取付け具が前記取り付け具取付け凹部を塞ぐカバー材で覆われている。
【００１４】
請求項６に係る発明のリフォーム階段は、前記化粧蹴込み板の後面下端部と、１つ下段の前記化粧踏み板前面との隙間を埋める化粧踏み板納め部材が挿入されている。
【００１５】
請求項７に係る発明のリフォーム階段は、前記化粧蹴込み板が基板材と化粧板の２層で構成されている。
【発明の効果】
【００１６】
リフォームした階段において、１つ下段の踏み板の上面、又は１つ下段の化粧踏み板の上面を基準とした時の、段鼻装飾材の上面の高さと、化粧踏み板を既存の踏み板に取付けた時の上面の高さとを同一、又は略同じにし、これらの接続部の段差をなくさなければ、足の裏が違和感を感じたり、つまずいて怪我をする可能性がある。請求項１に係る発明のリフォーム階段によれば、既存の踏み板、突出段鼻部、蹴込み板にリフォーム部材である化粧踏み板、段鼻装飾材、化粧蹴込み板を取り付けるにあたり、段鼻装飾材は化粧蹴込み板上端に取付けられるため、段鼻装飾材の上下方向の厚さは化粧蹴込み板の高さを調節することによって決めることができる。そのため段鼻装飾材の上下方向の厚さは化粧踏み板の厚さに付随せず、化粧踏み板の厚さを自由に決めることができる。よって化粧踏み板をより薄くすることができ、施工コストの軽減および施工の手間を省くことができる。また、人間の昇降の際に足の裏の摩擦によって段鼻装飾材が擦り減ったとしても、既存の踏み板が露出することがなく、外観が損なわれることがない。さらに、化粧蹴込み板と段鼻装飾部は相互に直接取付けるため、事前に各部材の形状合わせができ、現場での形状合わせの手間が省け、施工時間が短縮できる。
【００１７】
請求項２に係る発明のリフォーム階段によれば、化粧蹴込み板がスペーサー材を介して取付けられていることによって、スペーサーが補強材として用いられ、また化粧蹴込み板取付け時の位置決めを補助するのである。
【００１８】
通常、段鼻部には、人間が階段を上る際は足の土踏まずが位置し、階段を下りる際は指の付け根が位置する。請求項３に係る発明のリフォーム階段によれば、段鼻装飾材が、化粧踏み板の踏み面と略面一となる奥端から先端方向へ上り傾斜する傾斜部および先端の曲面落し部を備えており、上る際は傾斜部が人間が上る動作を補助し、下りる際は傾斜部により人間が足を踏み下した時に足が滑ってしまう危険性を軽減できる。また前記段鼻装飾材の奥側から先側に向かって上り傾斜する傾斜部が続いてそのまま下向きに適度にＲ（アール）して落ちる曲面落し部は、昇降の際の段鼻での人間の違和感を生じ難くし、人間工学面で楽な階段の昇降が実現される。
【００１９】
請求項４に係る発明のリフォーム階段によれば、すべり止め部材によって、昇降時の足の裏のすべりを防止できる。
【００２０】
請求項５に係る発明のリフォーム階段によれば、段鼻装飾材と化粧蹴込み板をより強固に接合でき、段鼻装飾部でより大きな荷重を支えることができる。また、前記取付け具が前記取付け具取付け凹部を塞ぐカバー材で覆われているため、凹部の段差を平らにすると共に、取付け具を隠すことができ外観を美しく仕上げることができる。
【００２１】
請求項６に係る発明のリフォーム階段によれば、化粧蹴込み板の後面下端部と、１つ下段の化粧踏み板前面との隙間に化粧踏み板納め部材が挿入されたことにより、前記化粧蹴込み板と１つ下段の前記化粧踏み板の接合部を隠すことができるため、接合部が美しく仕上がり、施工の手間を省くことができる。
【００２２】
請求項７に係る発明のリフォーム階段によれば、基板材に化粧板が貼り付けられ、化粧蹴込み板が２層で構成されていることで、一枚板の表面を化粧して化粧蹴込み板に仕上げるよりも、容易に加工を施すことができる。
【発明を実施するための最良の形態】
【００２３】
以下、本発明を実施形態に基づいて説明する。
【００２４】
なお、この説明において、前とは図１（ａ）〜図１（ｄ）における右側を、後ろとは同左側をいう。また、奥とは、図１（ａ）〜図１（ｄ）における踏み板１の谷側を、先とは同山側をいう。
【００２５】
竣工時の階段（図１（ａ））の昇降場所は踏み板１、蹴込み板２とから構成されている。前記階段（図１（ａ））が以下のようにリフォームされる。
【００２６】
（実施形態１）
化粧踏み板３を踏み板１に取付ける。取付け方法は接着剤等の公知の貼り付け方法を用いる。（図１（ｂ））
上面に凹部を持った化粧蹴込み板４を突出段鼻部１ａ後面に、接着剤等の公知の貼り付け手段を利用して取付ける（図１（ｃ））。
【００２７】
化粧蹴込み板４の上端凹部４ｃに凸部を持った段鼻装飾材５の凸部５ｅを嵌め合わせ、接着剤等の公知の貼り付け手段を使用して取付ける（図１（ｄ））。
【００２８】
以上の工程によって本発明のリフォーム階段が得られる。このリフォーム階段の平面図を図２に示す。また、その斜視図を図３に示す。
【００２９】
以上のように図１（ａ）〜図１（ｄ）までの工程を示したが、この取付け手順は可能であれば入れ替わってもよい。
【００３０】
（実施形態２）
図４は他の実施形態を示した図である。図４に例示したように、実施形態１における化粧蹴込み板４を貼り付ける際に、突出段鼻部１ａが蹴込み板から突出している突出長さと同一、又は略同一の厚さを有するスペーサー材６を介する。スペーサー材の取付けは接着材等の公知の貼り付け手段を利用して貼り付け、さらに補強するためにネジ釘９を用いた接着をするとよい。スペーサー材６の材質は補強可能な材料であればよい。また、突出段鼻部１ａが蹴込み板から突出している突出長さと同一、又は略同一の厚さを有すれば、形状、又は方向は問わない。
【００３１】
ここで、図４に例示したように、段鼻装飾材５の上面略中央部に、すべり止め部材７を接着剤等の公知の貼り付け手段を利用して取り付け、人間の昇降動作を補助する。このすべり止め部材７はエラストマー等の軟質材を用いるのがよい。
【００３２】
また、図４に例示したように、段鼻装飾材５が、化粧踏み板３の踏み面と略面一となる奥端５ａから先端５ｂ方向へ上り傾斜する傾斜部５ｃおよび先端５ｂの曲面落し部５ｄを備えていれば、人間の足の裏の違和感をなくし、昇降が容易となる。この傾斜部５ｃの先端から奥端の長さは４０〜６０ｍｍがよい。また、奥端５ａから先端５ｂ方向へ上り傾斜する傾斜部５ｃの傾斜高さは１〜３ｍｍがよい。さらに、この傾斜部５ｃに続く先端５ｂの曲面落し部５ｄの半径は３〜１０ｍｍがよい。突出段鼻部１ａ、５は人間の足の裏の摩擦等により、損傷が激しい場所であるので、段鼻装飾材５の材質は耐久性があるものがよく、ＡＢＳ樹脂等を用いるのがよい。しかし、この材質の如何は問わない。
【００３３】
また、図４に例示したように、段鼻装飾材５の上方に、開口したネジ（取付け具）取付け凹部８が設けられており、ネジ取付け凹部８に取付けられたネジ釘（取付け具）９によって、段鼻装飾材５と化粧蹴込み板４とを接合してもよい。ネジ釘９で固定されるため、公知の接着剤等で取付けられている状態よりも、より強固な接着となり、劣化や破損を防ぐことができる。ここで段鼻装飾部５と化粧蹴込み板４はネジ釘９を用いた接着がよいが、ネジ釘９以外の取付け具を用いてもよい。この際、この取付け具の仕様に合わせてネジ取付け凹部８の形状を変える必要がある。
【００３４】
ここで前述の形態であると、ネジ頭が剥き出しであり、凹部８の段差が残っているので、ネジ取付け凹部８の段差をなくし、概観を美しくみせるカバー材１０をネジ取付け凹部８に被着する。
【００３５】
図５は段鼻装飾部５のカバー材取付け詳細図であり、脚部１０ａ、１０ｂの側面に設けられた引掛け部１０ｄ、１０ｅおよびネジ取付け凹部８の対応する縦内壁に設けられた引掛け部８ａ、８ｂが引っ掛かるようになる。
【００３６】
より具体的には、図５に例示したように、カバー材１０は裏面から垂下した１対の脚部１０ａ、１０ｂが設けられ、それらのうちの後側が短く、前側が長くなっているため、装着時にネジ取付け凹部８の水平底面８ｃ上にそれら両脚部１０ａ、１０ｂが立つと、カバー表面１０ｃが昇り傾斜になって、段鼻装飾材５の傾斜部５ｃに現れることとなる。すなわち、このカバー材１０のカバー表面１０ｃは傾斜部５ｃの傾斜の一部を形成するのである。このカバー材の材質は踏み場所の一部となるため、耐久性のある材料を用いるのがよい。
【００３７】
さらに、図４に例示したように、リフォーム階段の化粧蹴込み板４と、１つ下段の化粧踏み板３の継目に、板の切断面を覆い隠し、美しく装飾する化粧踏み板納め部材１１を挿入することができる。ここで化粧蹴込み板４と化粧踏み板３の継ぎ合わせ方法は以下の２通りがある。
【００３８】
１つは化粧蹴込み板５の下面が１つ下段の踏み板１と接触しており、１つ下段の化粧踏み板３の前面が化粧蹴込み板４の後面と接触する場合である。２つめは１つ下段の化粧踏み板３の上面に化粧蹴込み板４の下面が接触する場合である。
【００３９】
化粧踏み板納め部材１１は特に１つ目の方法で適用可能であり、その接着方法は公知の接着剤等の貼り付け手段を利用して取り付ける。化粧踏み板納め部材１１の材質は、外観上、美しく装飾できるものがよい。
【００４０】
なお、図４に例示したように、本発明のリフォーム階段において、化粧蹴込み板４が、凹部で段鼻装飾材５を取付ける際に主として土台となる基板材４ａ（例えば２４〜３０ｍｍ前後）と、この基板材４ａよりも薄く、基板材４ａの後面を美しく装飾する、化粧板４ｂ（例えば厚さ２ｍｍ程度）とで構成される。これら２枚の板４ａ、４ｂは公知の接着材等の貼り付け手段を利用して貼り付ける。また、これら２枚の板４ａ、４ｂはパーティクルボード等の板材を用いればよい。
【図面の簡単な説明】
【００４１】
【図１（ａ）】本発明のリフォーム階段構造の組立工程で、既存の階段を示した図である。
【図１（ｂ）】同上の化粧踏み板の取付け工程を示した図である。
【図１（ｃ）】同上の化粧蹴込み板の取付け工程を示した図である。
【図１（ｄ）】同上の段鼻装飾材の取付け工程を示した図である。
【図２】図１（ｄ）のリフォーム階段の平面図である。
【図３】同上の斜視図である。
【図４】同上の他の実施形態の側面図である。
【図５】同上の他の実施形態における段鼻装飾部の部品を示した図である。
【符号の説明】
【００４２】
１．踏み板
２．蹴込み板
３．化粧踏み板
４．化粧蹴込み板
５．段鼻装飾材
６．スペーサー材
７．すべり止め部材
１０．カバー材
１１．化粧踏み板納め部材
【図１（ａ）】
2005097947.tif 000003
【図１（ｂ）】
2005097947.tif 000004
【図１（ｃ）】
2005097947.tif 000005
【図１（ｄ）】
2005097947.tif 000006
【図２】
2005097947.tif 000007
【図３】
2005097947.tif 000008
【図４】
2005097947.tif 000009
【図５】
2005097947.tif 000010